(57)【要約】【課題】  小形で簡便な構造で、操作性に極めて優れ、塗布の正確さや作業性を向上させた塗布器具を提供する。【解決手段】  液剤が充填されるシリンジ１１と、シリンジ１１の一端に設けられ、液剤流路１９が連通する液剤噴出部１２と、シリンジ１１の他端からスライド可能に挿入される押し子１３と、押し子１３のシリンジ１１の挿入側と反対側の端部に設けられ、押圧によりシリンジ１１内の液剤を液剤噴出部１２から噴出させる押圧部１３Ａと、シリンジ１１を支持する支持部１４と、支持部１４に形成され、圧縮気体を液剤噴出部１２に供給する気体流路１７と、支持部１４に取り付けられ、圧縮気体の前記液剤噴出部１２への供給を起動させる操作部１６と、を有し、押圧部１３Ａは、親指以外の少なくとも一つの指で操作部１６を係止した手の前記親指で押圧できる位置にある。【選択図】図１
2015027429.tif 000002
【特許請求の範囲】
【請求項１】
液剤が充填されるシリンジと、
前記シリンジの一端に設けられ、液剤流路が連通する液剤噴出部と、
前記シリンジの他端からスライド可能に挿入される押し子と、
前記押し子の前記シリンジの挿入側と反対側の端部に設けられ、押圧により前記シリンジ内の前記液剤を前記液剤噴出部から噴出させる押圧部と、
前記シリンジを支持する支持部と、
前記支持部に形成され、圧縮気体を前記液剤噴出部に供給する気体流路と、
前記支持部に取り付けられ、前記圧縮気体の前記液剤噴出部への供給を起動させる操作部と、
を有し、
前記押圧部は、親指以外の少なくとも一つの指で前記操作部を係止した手の前記親指で押圧できる位置にあることを特徴とする塗布器具。
【請求項２】
前記シリンジは、その本数が１本だけであることを特徴とする請求項１に記載の塗布器具。
【請求項３】
前記操作部のみが、前記シリンジと反対側の前記支持部から突出するように取り付けられ、把持部が設けられていないことを特徴とする請求項１又は請求項２に記載の塗布器具。
【請求項４】
前記シリンジの前記他端の位置する前記支持部の端部近傍に形成され、前記シリンジから離れるように斜めに伸びる気体供給口を備え、
前記圧縮気体が、前記気体供給口に嵌合された気体供給用ホースから供給されることを特徴とする請求項３の塗布器具。
【請求項５】
前記支持部に取付けられ、前記支持部の前記気体流路に前記圧縮気体を供給する気体流路を有する把持部を備え、
前記押圧部は、前記把持部を握った手で前記操作部の操作とともに押圧できる位置にあることを特徴とする請求項１又は請求項２に記載の塗布器具。
【請求項６】
前記把持部は、
前記シリンジの長手方向に交差する方向へ前記シリンジとずれを有して設けられていることを特徴とする請求項５に記載の塗布器具。
【請求項７】
前記把持部は、
角度調整機構を介して前記支持部に取り付けられていることを特徴とする請求項５又は請求項６に記載の塗布器具。
【請求項８】
前記液剤噴出部が、ノズルと前記ノズルの外周に設けられる気体キャップとで構成され、
前記気体キャップおよび前記ノズルが先端に至るに従って内径および外径が小さくなる形状であることを特徴とする請求項１から請求項７のいずれか１項に記載の塗布器具。
【請求項９】
前記ノズルが前記ノズルの外周にリブを備えることを特徴とする請求項８に記載の塗布器具。
【請求項１０】
前記シリンジは、
前記支持部にルアーロック機構を介して支持されていることを特徴とする請求項１から請求項９のいずれか１項に記載の塗布器具。
【請求項１１】
前記押し子は、
前記シリンジ内の前記液剤への押圧によって、
前記液剤を前記液剤噴出部から噴出させることを特徴とする請求項１から請求項１０のいずれか１項に記載の塗布器具。
【請求項１２】
前記操作部は、前記圧縮気体の供給量を調整可能な機構を備え、前記液剤噴出部から噴出する液剤を前記圧縮気体により霧化し噴霧することを特徴とする請求項１から請求項１１のいずれか１項に記載の塗布器具。
【請求項１３】
全体が樹脂で構成されていることを特徴とする請求項１から請求項１２のいずれか１項に記載の塗布器具。
【請求項１４】
前記液剤が、止血剤、癒着防止剤及び生体用接着剤のいずれか１つであることを特徴とする請求項１から請求項１３のいずれか１項に記載の塗布器具。
【発明の詳細な説明】
【技術分野】
【０００１】
本発明は塗布器具に係り、たとえば止血剤を塗布する塗布器具に関する。
【背景技術】
【０００２】
この種の塗布器具として、たとえば下記特許文献１、２が知られている。
特許文献１には、加圧気体供給手段、止血剤供給手段、凝固促進剤供給手段、および噴射ノズルを具備してなり、加圧気体と止血剤および凝固促進剤とを任意に噴射できるようにした手術用噴射装置の記載がある。
【０００３】
特許文献２には、無菌ガス供給流路を設けたスプレーヘッドをはめた一対のシリンジ体と高圧レギュレータおよび小型高圧ガスボンベを一体化し、スプレーヘッドと高圧レギュレータをチューブで連結し、エアフィルタを通過させて無菌ガスを供給する生体組織接着剤用簡易塗布器具の記載がある。各シリンジ体には、それぞれ、フィブリノゲン溶液、トロンビン溶液が充填され、スプレーヘッド内で混合されて霧化されるようになっている。
【先行技術文献】
【特許文献】
【０００４】
【特許文献１】特開昭６１−７９４５２号公報
【特許文献２】実開平６−５２８３９号公報
【発明の概要】
【発明が解決しようとする課題】
【０００５】
しかし、特許文献１に記載の手術用噴射装置は、その噴出ノズルには、チューブを通して止血剤貯留室からの止血剤が該チューブの途中に設けられた弁を介して供給され、また、他のチューブを通してコンプレッサからの圧縮空気が該他のチューブの途中に設けられた他の弁を介して供給されるようになっており構造も複雑で、これら弁を操作するのにその操作性が悪いという不都合があった。
また、特許文献２に記載の生体組織接着剤用簡易塗布器具でも、そのスプレーヘッドには、シリンジ体に充填されたフィブリノゲン溶液等が押し子によって供給されるが、チューブを通して高圧ガスボンベからの圧縮空気が該チューブの途中に設けられたコックを介して供給されるようになっていて、高圧ガスボンベとレギュレータおよび一対のシリンジ体が一体化されて器具が大形し、更に該コックを操作するのにその操作性が悪いという不都合があった。
また、従来の止血剤塗布器具は止血剤と凝固促進剤の２液混合タイプが主流であったが、近年医療技術の進歩により１液のみの塗布または噴霧により止血が可能になり、１液タイプ（シリンジが一本）の塗布器具が望まれている。
【０００６】
本発明は、このような事情に鑑みてなされたものであり、その目的は、小形で簡便な構造で、操作性に極めて優れ、塗布の正確さや作業性を向上させた塗布器具を提供することにある。
【課題を解決するための手段】
【０００７】
本発明は、以下の構成によって把握される。
（１）本発明の塗布器具は、液剤が充填されるシリンジと、前記シリンジの一端に設けられ、液剤流路が連通する液剤噴出部と、前記シリンジの他端からスライド可能に挿入される押し子と、前記押し子の前記シリンジの挿入側と反対側の端部に設けられ、押圧により前記シリンジ内の前記液剤を前記液剤噴出部から噴出させる押圧部と、前記シリンジを支持する支持部と、前記支持部に形成され、圧縮気体を前記液剤噴出部に供給する気体流路と、前記支持部に取り付けられ、前記圧縮気体の前記液剤噴出部への供給を起動させる操作部と、を有し、前記押圧部は、親指以外の少なくとも一つの指で前記操作部を係止した手の前記親指で押圧できる位置にあることを特徴とする。
（２）本発明の塗布器具は、（１）の構成において、前記シリンジは、その本数が１本だけであることを特徴とする。
（３）本発明の塗布器具は、（１）又は（２）の構成において、前記操作部のみが、前記シリンジと反対側の前記支持部から突出するように取り付けられ、把持部が設けられていないことを特徴とする。
（４）本発明の塗布器具は、（３）の構成において、前記シリンジの前記他端の位置する前記支持部の端部近傍に形成され、前記シリンジから離れるように斜めに伸びる気体供給口を備え、前記圧縮気体が、前記気体供給口に嵌合された気体供給用ホースから供給されることを特徴とする。
（５）本発明の塗布器具は、（１）又は（２）の構成において、前記支持部に取付けられ、前記支持部の前記気体流路に前記圧縮気体を供給する気体流路を有する把持部を備え、前記押圧部は、前記把持部を握った手で前記操作部の操作とともに押圧できる位置にあることを特徴とする。
（６）本発明の塗布器具は、（５）の構成において、前記把持部は、前記シリンジの長手方向に交差する方向へ前記シリンジとずれを有して設けられていることを特徴とする。
（７）本発明の塗布器具は、（５）又は（６）の構成において、前記把持部は、角度調整機構を介して前記支持部に取り付けられていることを特徴とする。
（８）本発明の塗布器具は、（１）から（７）のいずれかの構成において、前記液剤噴出部が、ノズルと前記ノズルの外周に設けられる気体キャップとで構成され、前記気体キャップおよび前記ノズルが先端に至るに従って内径および外径が小さくなる形状であることを特徴とする。
（９）本発明の塗布器具は、（８）の構成において、前記ノズルが前記ノズルの外周にリブを備えることを特徴とする。
（１０）本発明の塗布器具は、（１）から（９）のいずれかの構成において、前記シリンジは、前記支持部にルアーロック機構を介して支持されていることを特徴とする。
（１１）本発明の塗布器具は、（１）から（１０）のいずれかの構成において、前記押し子は、前記シリンジ内の前記液剤への押圧によって、前記液剤を前記液剤噴出部から噴出させることを特徴とする。
（１２）本発明の塗布器具は、（１）から（１１）のいずれかの構成において、前記操作部は、前記圧縮気体の供給量を調整可能な機構を備え、前記液剤噴出部から噴出する液剤を前記圧縮気体により霧化し噴霧することを特徴とする。
（１３）本発明の塗布器具は、（１）から（１２）のいずれかの構成において、全体が樹脂で構成されていることを特徴とする。
（１４）本発明の塗布器具は、（１）から（１３）のいずれかの構成において、前記液剤が、止血剤、癒着防止剤及び生体用接着剤のいずれか１つであることを特徴とする。
【発明の効果】
【０００８】
このように構成された塗布器具によれば、簡単な構成にも拘わらず、操作性に極めて優れるようになる。また、塗布すべき位置に対して正確に塗布できるようになり作業性が向上する。
【図面の簡単な説明】
【０００９】
【図１】本発明の塗布器具の実施形態１を示す構成図で、（ａ）は上面図、（ｂ）は正面図、図１（ｃ）は背面図である。（ｄ）は（ｅ）と対比するための説明図で、（ｅ）は本発明の塗布器具を握ったとき背面から親指の位置を見た図である。
【図２】（ａ）は本発明の塗布器具の液剤噴出部の断面図である。（ｂ）はノズルを拡大した断面図である。
【図３】本発明の塗布器具の支持部に設けられたシリンジ取付け部を示す斜視図である。
【図４】本発明の塗布器具の空気流路、およびその途中に設けられた弁部、この弁部を可動させるトリガーを示した図である。
【図５】（ａ）は空気流路の連通を遮断する場合の弁部の位置を示した図、（ｂ）は空気流路の連通がなされる場合の弁部の位置を示した図である。
【図６】（ａ）、（ｂ）は、シリンジ内の液剤が押し子の押圧の大小に応じて噴出量が変化することを示す図である。
【図７】本発明の塗布器具の把持部が支持部に対して傾斜できることを示す図である。
【図８】（ａ）は本発明の塗布器具の支持部の平面図、（ｂ）は該支持部の把持部との接続部を拡大して示した斜視図である。
【図９】把持部の支持部と接続される部分の構成を示す斜視図である。
【図１０】把持部の支持部に対する角度変化において、支持部に形成した突起が把持部に形成した複数の孔のいずれかに嵌合していることを示す図である。
【図１１】本発明の塗布器具の実施形態２を示す構成図で、図４に対応づけて描いた図である。
【図１２】（ａ）は本発明の塗布器具の実施形態５を示す断面図、（ｂ）は（ａ）の形態からシリンジ（押し子も含む）を取り外した状態を示す断面図である。
【図１３】（ａ）は実施形態５の塗布器具に備えられるシリンジ取付け部を示す斜視図、（ｂ）はノズルを正面から観た図、（ｃ）はノズルの近傍を示す断面図である。
【図１４】実施形態５の塗布器具のトリガーの近傍を示す断面図で、（ａ）は、トリガーを操作する前の状態の図、（ｂ）は、トリガーを操作した後の状態を示す図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
（実施形態１）
図１（ａ）、（ｂ）、（ｃ）は、本発明の塗布器具の実施形態１を示す構成図である。図１（ａ）は上面図、図１（ｂ）は正面図、図１（ｃ）は背面図である。
図１（ａ）、（ｂ）、（ｃ）に示す塗布器具１０は、たとえばアミノ酸を含む止血剤（この明細書において液剤と称する場合がある）を塗布する塗布器具を示している。そして、塗布器具１０はその全体が樹脂によって形成されている。
【００１１】
図１（ａ）、（ｂ）、（ｃ）において、まず、たとえば本数が１本のシリンジ１１があり、塗布器具前方（図中左側の端部）には、液剤噴出部１２が備えられている。液剤噴出部１２は、図２（ａ）に示すようにノズル１２Ａと、ノズル１２Ａの先端から噴出する液剤を霧化しながら前方に吹き付ける圧縮空気（圧縮気体）を噴出する空気キャップ（気体キャップ）１２Ｂとで構成される。ノズル１２Ａは断面図を図２（ｂ）に示すように、たとえば、先端に至るに従い内径ｄおよび外径Ｄが小さくなる形状となっている。尚、液剤噴出部１２の霧化頭部は、ノズル先端と空気キャップの中心口との間で形成される円環状のスリツトから圧縮空気を流す単純な構造の場合、いわゆる丸吹きと呼ばれるスプレーパターンを呈する。しかし、これに限定されるものではない。
【００１２】
シリンジ１１の他端（図中右側の端部）は、開口が設けられ、この開口を通して該シリンジ１１内においてスライド可能な押し子１３が挿入されている。
【００１３】
シリンジ１１には、押し子１３を外した状態で、止血剤を充填できるようになっており、押し子１３をシリンジ１１に挿入し、そのまま、液剤噴出部１２側へ押し続けることにより、シリンジ１１内の止血剤を液剤噴出部１２から噴射できるようになっている。しかし、止血剤をあとから充填することなく、液剤が予め封入された状態でカートリッジ化された使い切り（使い捨て）タイプのものを使用するようにしてもよく、本発明は、この種のタイプのものも含まれる。
【００１４】
なお、押し子１３は、シリンジ１１から露出する端部（図中右側の端部）において、軸方向に交差し比較的大きな径を有する円板状からなる押圧部１３Ａ（図１（ｃ）参照）を有し、この押圧部１３Ａを押すことによって、押し子１３をシリンジ１１内で軸方向に押すことができるようになっている。
【００１５】
そして、シリンジ１１は、塗布器具１０の支持部１４に支持されるようになっている。図３は、支持部１４の先端部を示す斜視図であり、該支持部１４の先端部には、シリンジ１１の先端が挿入できる孔１４Ｈが形成されている。
【００１６】
シリンジ１１の先端が支持部１４の該孔１４Ｈに挿入されることにより、液剤噴出部１２は、該孔１４Ｈを介してシリンジ１１と連通して配置されるようになる（図１（ｂ）参照）。支持部１４の該孔１４Ｈに挿入されたシリンジ１１は、たとえば９０°程度の角度で回転させることにより、支持部１４に迅速且つ確実に嵌合され固定されるようになっている。これにより、シリンジ１１は、いわゆるルアーロック機構を介して支持部１４に支持されるようになっている。
【００１７】
ここで、支持部１４は、図１（ａ）に示すように、シリンジ１１の軸方向に対してα（０°＜α＜９０°）の角度で後方に延在される延在部１４Ｅを有し、これにより、該支持部１４の後方部１４Ｂは、シリンジ１１に対して水平方向に距離Ｗを隔てて形成されるようになっている。
【００１８】
そして、支持部１４の後方部１４Ｂには、把持部１５が取り付けられている。把持部１５は、支持部１４に対してシリンジ１１が配置される側と反対の側（図１（ｂ）、（ｃ）中、下方）に延在されて形成されている。把持部１５の前方には、把持部１５を握りながら人差し指で操作し易い箇所にトリガー１６（この明細書において操作部と称する場合がある）が設けられている。トリガー１６は、上部が支軸１６Ｐによって把持部１５に取り付けられ、把持部１５側（図中β方向）へ押すことによって操作できるようになっている。
【００１９】
把持部１５および支持部１４には、該把持部１５の底部から導入される圧縮空気を液剤噴出部１２に供給する空気流路（図４参照）が形成され、前記トリガー１６は、該圧縮空気の液剤噴出部１２への供給を起動させるようになっている。
【００２０】
図４は、把持部１５および支持部１４の内部に形成された空気流路（気体流路）１７を示した透視図である。なお、図４は、把持部１５を支持部１４に対して便宜的に直交するように配置させているが、図１（ｂ）に示すように支持部１４に対して傾いていてもよいことはもちろんである。
【００２１】
図４に示すように、把持部１５の底部１５Ｂの気体供給口からの空気流路１７Ａを通して導入される圧縮空気は、弁部１８を通して空気流路１７Ｂ、さらには支持部１４に形成された空気流路１７Ｃに導かれる。該空気流路１７Ｃは、空気流路１７として図２（ａ）に示すように液剤噴出部１２を構成する空気キャップ１２Ｂに連結されるようになっている。なお、前記気体供給口は気体供給用ホースが嵌合されるようになっている。
【００２２】
前記弁部１８は軸体２０に取り付けられ、該軸体２０は、スプリング２１によって付勢され、先端がトリガー１６に当接されている。弁部１８は、トリガー１６が図中β方向へ押されていない状態では、図５（ａ）に示すように、空気流路１７Ａと空気流路１７Ｂとの連通を遮断し、トリガーが図中β方向へ押された状態では、図５（ｂ）に示すように、空気流路１７Ａと空気流路１７Ｂとの連通がなされるようになっている。
【００２３】
トリガー１６によって空気流路１７Ａと空気流路１７Ｂとの連通がなされた場合、圧縮空気は、空気流路１７Ｂ、空気流路１７Ｃを通して液剤噴出部１２の空気キャップ１２Ｂから噴出されるようになる。
【００２４】
このように構成した塗布器具１０は、把持部１５を手で握り、親指で押し子１３の押圧部１３Ａを押すことができ、人差し指でトリガー１６を操作することができるようになる。この場合、押し子１３の操作と、トリガー１６の操作は、それぞれ独立に行い、また、それらを加減しながら共働して行うことができる。尚、液剤をそのまま塗布することもできるし圧縮空気により霧化した状態で噴霧することもできるし圧縮空気のみを噴出させて乾燥を促進させることなどができるのは言うまでもない。
【００２５】
図６（ａ）、（ｂ）は、押し子１３の押す力の強弱によって液剤噴出部からの液剤の噴出量を設定することができることを示す図である。図６（ａ）は、押し子１３の押す力（圧力）を大きくする（図中矢印の幅がそれを示している）ことによって、シリンジ１１内の液剤に大きな力が加わり、それに応じて液剤噴出部１２から多量の液剤が噴出することを示している。図６（ｂ）は、押し子１３の押す力（圧力）を小さくする（図中矢印の幅がそれを示している）ことによって、シリンジ１１内の液剤に小さな力が加わり、それに応じて液剤噴出部１２から少量の液剤が噴出することを示している。
【００２６】
ちなみに、液剤噴出部１２から液剤を噴出させる構成として、たとえばニードル弁を用いる構成も考えられるが、このニードル弁を用いることのない構成とすることにより、簡易な構成の塗布器具を得ることができるようになる。
【００２７】
同様に、トリガー１６の操作においても、図５（ａ）、（ｂ）に示したように、軸体２０の移動に応じた弁部１８による空気流路（空気流路１７Ａと空気流路１７Ｂ）の連通径が変化できるので、トリガー１６の押す力の強弱によって圧縮空気の液剤噴出部１２からの噴出量を設定することができるようになる。
【００２８】
このため、液剤噴出部１２から噴出させる液剤あるいは圧縮空気の各噴出量を容易に調整できる効果を奏する。また、液剤あるいは圧縮空気の各噴出量の調整は、把持部１５を握った手の親指および人差し指で同時に行うことができ、液剤あるいは圧縮空気の各噴出量を容易に加減させながら共働させることができるようになる。
【００２９】
さらに、把持部１５は、図１（ｃ）に示すようにシリンジ１１の長手方向に交差する方向へ該シリンジ１１とずれを有して設けられていることから、シリンジ１１の周辺には視界を遮る物が無くなり、液剤噴出の際に、照準を合わせ易いという効果を奏する。また、実施形態１では、図１（ｅ）に示すように、人が物を握るときの自然な指の開き（角度θ）が生じるので親指が疲労しにくく押し子１３を押圧し易いという効果を奏する。ちなみに、把持部１５とシリンジ１１にずれのない図１（ｄ）の場合は、把持部１５を握りながら親指を真上に立てなければならず、親指は著しく疲労する不都合を有する。
【００３０】
（実施形態２）
実施形態１では、塗布器具の把持部１５は支持部１４に固定させた状態で取り付けたものとして示したものである。
しかし、図７（ａ）、（ｂ）に示すように、把持部１５は、図示しない角度調整機構を介して支持部１４に取り付けられ、該支持部１４に対し、図中矢印γに示すように、傾きが可変できるように構成してもよい。
【００３１】
図８（ａ）は、支持部１４を示した平面図であり、図８（ｂ）は、該支持部１４の把持部１５（図示せず）との接続部を拡大して示した斜視図である。
図８（ｂ）に示すように、支持部１４の把持部１５（図示せず）との接続部は、一対の突出部１４０が設けられた二股状となっており、各突出部１４０の対向する面には、それぞれ、把持部１５（図示せず）を軸支するための軸突起体１４１と、この軸突起体１４１に近接して配置される角度設定のための突起１４２が設けられている。
把持部１５（図示せず）は支持部１４の各突出部１４０の間に配置されるようになっている。把持部１５は、図９に示すように、その支持部１４（図示せず）と接続される部分において、支持部１４の軸突起体１４１が嵌合される軸孔１５０と、支持部１４の突起１４２が嵌合される複数（図ではたとえば４個）の孔１５１が形成されている。
【００３２】
図１０（ａ）、（ｂ）は、把持部１５を取り付けた支持部１４を透視して描いた図である。把持部１５は軸突起体１４１（軸孔１５０）を中心にして回転できるようになっていることを示し、その回動の過程において、突起１４２が複数（図では４個）の孔１５１のうちの一つに嵌合されるようになっている。これにより、把持部１５は支持部１４に対してクリック感を意識しながら４段階の角度調整をすることができるようになる。
【００３３】
この場合、上述したように、把持部１５は、シリンジ１１の長手方向に交差する方向へ該シリンジ１１とずれを有して設けられていることから、シリンジ１１が妨害となることなく、比較的広い角度範囲で把持部１５の傾斜を変えるように構成できるようになる。
【００３４】
（実施形態３）
実施形態１では、圧縮空気の液剤噴出部１２への供給を起動させるのに、図４に示したように、把持部１５に設けられたトリガー１６によって行うようにしたものである。しかし、これに、限定されることはなく、図４に対応して描いた図１１に示すように、弁部１８が取り付けられる軸体２０の先端にボタン２２を備えるようにしてもよいことはもちろんである。このように構成しても、該ボタン２２を、圧縮空気の液剤噴出部１２への供給を起動させ、その供給量を調整可能な操作部として機能させることができるからである。
【００３５】
（実施形態４）
上述した実施形態では、液剤として、たとえばアミノ酸を含む止血剤を例にして説明したが、これに限定されることはなく、たとえば薬剤等の他の液剤であってもよいし、塗装目的の液剤（塗料）であってもよいし、食液の塗布に用いてもよいことはもちろんである。
【００３６】
（実施形態５）
図１２（ａ）は、本発明の塗布器具の他の実施形態を示す断面図である。図１２（ａ）に示す塗布器具１０は、たとえば図１に示した塗布器具１０と比較した場合、大略、把持部１５が無く、該把持部１５に設けられたトリガー（操作部）１６を支持部１４に設けた構成となっている。
【００３７】
すなわち、実施形態１ないし４に示した塗布器具１０と同様に、シリンジ１１に挿入される押し子１３の押圧部１３Ａは、親指以外の少なくとも一つの指でトリガー（操作部）１６を係止した手の該親指で押圧できる位置にあるようになっている。このため、操作者は、中指、薬指および小指で把持部を握ることはできなくても、たとえば、人差し指でトリガー１６を係止させたままで親指を押し子１３の押圧部１３Ａに宛がうことができ、これら人差し指および親指の操作によって、液剤噴出部１２から噴出させる液材あるいは圧縮空気の各噴出量を容易に調整できるようになっている。
【００３８】
また、塗布器具１０は、図１２（ｂ）に示すように、シリンジ１１（押し子１３を含む）を塗布器具１０から容易に分離させることができるようになっている。これにより、新しいシリンジ１１（押し子１３を含む）に交換でき、あるいはシリンジ（押し子１３を含む）および支持部１４をそれぞれ独立に洗浄等できるようになっている。
【００３９】
支持部１４の先端部には、図１２（ｂ）に示すように、シリンジ取付け部３０が取り付けられ、シリンジ１１は、支持部１４に載置された状態で、その先端に形成されたシリンジノズル１１Ａがシリンジ取付け部３０の挿入孔３０Ａに挿入されるようになっている（図１２（ａ）参照）。
【００４０】
図１３（ａ）は、シリンジ取付け部３０を示した斜視図であり、該シリンジ取付け部３０の前記挿入孔３０Ａと反対側の面には、挿入孔３０Ａと連通するノズル（液材噴出部）３１が突出して設けられている。ノズル３１はシリンジ取付け部３０に取付けられるシリンジ１１と同軸に配置されるようになっている。ノズル３１はシリンジ取付け部３０の液剤流路１９を介してシリンジ１１と連通されるようになっている。また、ノズル３１は、先端に至るに従って内径および外径が小さくなる形状となっている。ノズル３１には、その外周面において、周方向に等間隔で配置された複数（図ではたとえば３個）のリブ３２が長手方向に延在されて形成されている。図１３（ｂ）は、ノズル３１を先端側から観た正面図であり、ノズル３１の外周面に径方向に突出する３個のリブ３２が１２０°の間隔で配置されていることが判る。
【００４１】
そして、図１３（ａ）に示すように、シリンジ取付け部３０には、ノズル３１を挿入するようにして空気キャップ３５が取り付けられるようになっている。空気キャップ３５は、ノズル３１に形成されたリブ３２によって、たとえ歪みがあっても空気キャップ３５との位置精度を確保することができるようになっている。
【００４２】
空気キャップ３５は、図１３（ｃ）に示すように、ノズル３１の外周面との間に、支持部１４側の空気流路１７Ｃと連通される空気流路１７Ｄを形成するようになっている。ノズル３１と空気キャップ３５の各先端は、それらの軸方向において一致され、それらの先端部でノズル３１からの液材とノズル３１と空気キャップ３５の間の空気流路１７Ｄからの空気とが混合されて噴出されるようになっている。なお、空気キャップ３５は、先端に至るに従って内径および外径が小さくなる形状となっている。
【００４３】
図１４（ａ）は、塗布器具１０のトリガー（操作部）１６の近傍の構成を示す断面図である。支持部１４には、その端部近傍において、外部から空気を供給するための気体供給口からの空気流路１７Ａを有し、この空気流路１７Ａからの空気は、トリガー（操作部）１６の図中矢印βの方向の操作によって、空気流路１７Ｂおよび空気流路１７Ｃへの導入がなされるようになっている。すなわち、トリガー（操作部）１６の回転支軸の近傍に一端が当接される軸体４０があり、この軸体４０は他端に配置されるスプリング４１によってトリガー（操作部）１６側に付勢されるようになっている。軸体４０の長さ方向の中途部にはＯ−リング４２が設けられ、トリガー（操作部）１６が操作されていないときには、Ｏ−リング４２は空気流路１７Ａと空気流路１７Ｂとの流通を妨げる弁の機能を有するようになっている。
【００４４】
そして、図１４（ｂ）に示すように、トリガー（操作部）１６が図中矢印βの方向の操作によって、軸体４０はスプリング４１の付勢に抗して軸方向に移動し、これにともなうＯ−リング４２の移動によって弁が開放され、空気流路１７Ａと空気流路１７Ｂの間との流通がなされるようになっている。
【００４５】
（実施形態６）
上述した実施形態では、液材を霧化する気体として圧縮空気を例に挙げて説明したものである。しかし、これに限定されることはなく、炭酸ガス、窒素ガス等を用いてもよいことはいうまでもない。この場合、上述した空気流路は気体流路として機能させ、空気キャップは気体キャップとして機能させることができる。
【００４６】
（実施形態７）
上述した実施形態では、シリンジ１１から噴出される液材は止血剤あるいは塗料としたものである。しかし、これに限定されることはなく、癒着防止材、あるいは生体用接着剤等であってもよいことはもちろんである。
ここで、止血剤は、滲出性出血等に用いられ、たとえばフィブリン糊がある。癒着防止剤は、外科手術等で臓器と臓器が密着して固着することを防止するために、臓器と臓器の間に挿入されるものである。また、生体用接着剤は、外科手術等で「縫合」に替り、皮膚等を結合することを目的として用いられる接着剤である。
【００４７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００４８】
１０              塗布器具
１１              シリンジ
１１Ａ            シリンジノズル
１２              液剤噴出部
１２Ａ            ノズル
１２Ｂ            空気キャップ（気体キャップ）
１３              押し子
１３Ａ            押圧部
１４              支持部
１４Ｅ            延在部
１４Ｂ            後方部
１４１            軸突起体
１４２            突起
１５              把持部
１６              トリガー（操作部）
１７              空気流路（気体流路）
１８              弁部
１９              液剤流路
２０              軸体
２１              スプリング
２２              ボタン
３０              シリンジ取付け部
３１              ノズル
３５              空気キャップ
４０              軸体
４１              スプリング
４２              Ｏ−リング
【図１】
2015027429.tif 000003
【図２】
2015027429.tif 000004
【図３】
2015027429.tif 000005
【図４】
2015027429.tif 000006
【図５】
2015027429.tif 000007
【図６】
2015027429.tif 000008
【図７】
2015027429.tif 000009
【図８】
2015027429.tif 000010
【図９】
2015027429.tif 000011
【図１０】
2015027429.tif 000012
【図１１】
2015027429.tif 000013
【図１２】
2015027429.tif 000014
【図１３】
2015027429.tif 000015
【図１４】
2015027429.tif 000016